(57)【要約】      （修正有）【課題】角材の長手方向の反りに対応することができる角材の面取り方法及び角材の面取り装置を提供する。【解決手段】搬送される角材１の左下コーナー部ＬＤ、右下コーナー部ＲＤ、左上コーナー部ＬＵ及び右上コーナー部ＲＵを切削して角材１の面取りを行う面取り方法であって、左下カッターＬＤＣは、角材１の左下コーナー部ＬＤの長手方向の形状に応じて移動して角材１の左下コーナー部ＬＤの長手方向に沿って面取りし、右下カッターＲＤＣは、角材１の右下コーナー部ＲＤの長手方向の形状に応じて移動して角材１の右下コーナー部ＲＤの長手方向に沿って面取りし、左上カッターＬＵＣは、角材１の左上コーナー部ＬＵの長手方向の形状に応じて移動して角材１の左上コーナー部ＬＵの長手方向に沿って面取りし、右上カッターＲＵＣは、角材１の右上コーナー部ＲＵの長手方向の形状に応じて移動して角材１の右上コーナー部ＲＵの長手方向に沿って面取りする。【選択図】図１
2019089286.tif 000002
【特許請求の範囲】
【請求項１】
搬送される角材の左下コーナー部、右下コーナー部、左上コーナー部及び右上コーナー部を切削して角材の面取りを行う角材の面取り方法であって、
角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、
前記左下カッターを支持する左下カッター支持体は、水平方向、垂直方向及び搬送される前記角材の長手方向を横断する回動方向に移動できるように支持され、
前記右下カッターを支持する右下カッター支持体は、水平方向、垂直方向及び搬送される前記角材の長手方向を横断する回動方向に移動できるように支持され、
前記左上カッターを支持する左上カッター支持体は、水平方向、垂直方向及び搬送される前記角材の長手方向を横断する回動方向に移動できるように支持され、
前記右上カッターを支持する右上カッター支持体は、水平方向、垂直方向及び搬送される前記角材の長手方向を横断する回動方向に移動できるように支持され、
前記左下カッター支持体は、前記角材の左下コーナー部の長手方向の形状に応じて移動し、前記左下カッターにより前記角材の左下コーナー部の長手方向に沿って面取りし、
前記右下カッター支持体は、前記角材の右下コーナー部の長手方向の形状に応じて移動し、前記右下カッターにより前記角材の右下コーナー部の長手方向に沿って面取りし、
前記左上カッター支持体は、前記角材の左上コーナー部の長手方向の形状に応じて移動し、前記左上カッターにより前記角材の左上コーナー部の長手方向に沿って面取りし、
前記右上カッター支持体は、前記角材の右上コーナー部の長手方向の形状に応じて移動し、前記右上カッターにより前記角材の右上コーナー部の長手方向に沿って面取りする
ことを特徴とする角材の面取り方法。
【請求項２】
左下カッター支持体には、角材の左下面に当接する左下面当接部材と前記角材の左下側面に当接する左下側面当接部材を有し、
右下カッター支持体には、角材の右下面に当接する右下面当接部材と前記角材の右下側面に当接する右下側面当接部材を有し、
左上カッター支持体には、角材の左上面に当接する左上面当接部材と前記角材の左上側面に当接する左上側面当接部材を有し、
右上カッター支持体には、角材の右上面に当接する右上面当接部材と前記角材の右上側面に当接する右上側面当接部材を有している
ことを特徴とする請求項１記載の角材の面取り方法。
【請求項３】
搬送される角材を左下水平側弾性体で付勢された左下側面当接部材と右下水平側弾性体弾性体で付勢された右下側面当接部材で挟持した状態で、左下カッターによる前記角材の左下コーナー部の面取りと右下カッターによる前記角材の右下コーナー部の面取りとを同時に行い、その後、搬送される前記角材を左上水平側弾性体で付勢された左上側面当接部材と右上水平側弾性体で付勢された右上側面当接部材で挟持した状態で、左上カッターによる前記角材の左上コーナー部の面取りと右上カッターによる前記角材の右上コーナー部の面取りとを同時に行うか、
又は、
搬送される角材を左上水平側弾性体で付勢された左上側面当接部材と右上水平側弾性体で付勢された右上側面当接部材で挟持した状態で、左上カッターによる前記角材の左上コーナー部の面取りと右上カッターによる前記角材の右上コーナー部の面取りとを同時に行い、その後、搬送される前記角材を左下水平側弾性体で付勢された左下側面当接部材と右下水平側弾性体で付勢された右下側面当接部材で挟持した状態で、左下カッターによる前記角材の左下コーナー部の面取りと右下カッターによる前記角材の右下コーナー部の面取りとを同時に行う
ことを特徴とする請求項１記載の角材の面取り方法。
【請求項４】
搬送される角材の左下コーナー部、右下コーナー部、左上コーナー部及び右上コーナー部を切削して角材の面取りを行う角材の面取り装置であって、
左下カッターと、
この左下カッターを支持すると共に、左下回動軸を有した左下カッター支持体と、
この左下カッター支持体に接続され、搬送される前記角材に直交する水平方向に移動可能な左下水平移動部材と、
この左下水平移動部材を水平方向に付勢する左下水平側弾性体と、
前記左下カッター支持体に接続され、搬送される前記角材に直交する垂直方向に移動可能な左下垂直移動部材と、
この左下垂直移動部材を垂直方向に付勢する左下垂直側弾性体と、
前記左下カッター支持体に設けられ、前記角材の左下面に当接する左下面当接部材と、
前記左下カッター支持体に設けられ、前記角材の左下側面に当接する左下側面当接部材と、
前記左下カッター支持体に設けられ、前記左下面当接部材と前記左下側面当接部材のコーナー部に形成された隙間より突出するように設けられた前記左下カッターと、
右下カッターと、
この右下カッターを支持すると共に、右下回動軸を有した右下カッター支持体と、
この右下カッター支持体に接続され、搬送される前記角材に直交する水平方向に移動可能な右下水平移動部材と、
この右下水平移動部材を水平方向に付勢する右下水平側弾性体と、
前記右下カッター支持体に接続され、搬送される前記角材に直交する垂直方向に移動可能な右下垂直移動部材と、
この右下垂直移動部材を垂直方向に付勢する右下垂直側弾性体と、
前記右下カッター支持体に設けられ、前記角材の右下面に当接する右下面当接部材と、
前記右下カッター支持体に設けられ、前記角材の右下側面に当接する右下側面当接部材と、
前記右下カッター支持体に設けられ、前記右下面当接部材と前記右下側面当接部材のコーナー部に形成された隙間より突出するように設けられた前記右下カッターと、
左上カッターと、
この左上カッターを支持すると共に、左上回動軸を有した左上カッター支持体と、
この左上カッター支持体に接続され、搬送される前記角材に直交する水平方向に移動可能な左上水平移動部材と、
この左上水平移動部材を水平方向に付勢する左上水平側弾性体と、
前記左上カッター支持体に接続され、搬送される前記角材に直交する垂直方向に移動可能な左上垂直移動部材と、
この左上垂直移動部材を垂直方向に付勢する左上垂直側弾性体と、
前記左上カッター支持体に設けられ、前記角材の左上面に当接する左上面当接部材と、
前記左上カッター支持体に設けられ、前記角材の左上側面に当接する左上側面当接部材と、
前記左上カッター支持体に設けられ、前記左上面当接部材と前記左上側面当接部材のコーナー部に形成された隙間より突出するように設けられた前記左上カッターと、
右上カッターと、
この右上カッターを支持すると共に、右上回動軸を有した右上カッター支持体と、
この右上カッター支持体に接続され、搬送される前記角材に直交する水平方向に移動可能な右上水平移動部材と、
この右上水平移動部材を水平方向に付勢する右上水平側弾性体と、
前記右上カッター支持体に接続され、搬送される前記角材に直交する垂直方向に移動可能な右上垂直移動部材と、
この右上垂直移動部材を垂直方向に付勢する右上垂直側弾性体と、
前記右上カッター支持体に設けられ、前記角材の右上面に当接する右上面当接部材と、
前記右上カッター支持体に設けられ、前記角材の右上側面に当接する右上側面当接部材と、
前記右上カッター支持体に設けられ、前記右上面当接部材と前記右上側面当接部材のコーナー部に形成された隙間より突出するように設けられた前記右上カッターとを備え、
予め、
前記左下面当接部材の上端面を搬送される前記角材の下面より上位に、
前記左下側面当接部材の右端面を搬送される前記角材の左側面より内側に、
前記右下面当接部材の上端面を搬送される前記角材の下面より上位に、
前記右下側面当接部材の左端面を搬送される前記角材の右側面より内側に、
前記左上面当接部材の下端面を搬送される前記角材の上面より下位に、
前記左上側面当接部材の右端面を搬送される前記角材の左側面より内側に、
前記右上面当接部材の下端面を搬送される前記角材の上面より下位に、
前記右上側面当接部材の左端面を搬送される前記角材の右側面より内側に、それぞれ位置させている
ことを特徴とする角材の面取り装置。
【請求項５】
左下カッターを駆動する左下モーターと、
この左下モーターを支持すると共に、左下カッター支持体に取り付けられた左下モーター支持部材と、
一端を前記左下モーター支持部材に、他端を前記左下カッター支持体に接続され、前記左下モーターの自重を受ける左下弾性体と、
右下カッターを駆動する右下モーターと、
この右下モーターを支持すると共に、右下カッター支持体に取り付けられた右下モーター支持部材と、
一端を前記右下モーター支持部材に、他端を前記右下カッター支持体に接続され、前記右下モーターの自重を受ける右下弾性体と、
左上カッターを駆動する左上モーターと、
この左上モーターを支持すると共に、左上カッター支持体に取り付けられた左上モーター支持部材と、
一端を前記左上モーター支持部材に、他端を前記左上カッター支持体に接続され、前記左上モーターの自重を受ける左上弾性体と、
右上カッターを駆動する右上モーターと、
この右上モーターを支持すると共に、右上カッター支持体に取り付けられた右上モーター支持部材と、
一端を前記右上モーター支持部材に、他端を前記右上カッター支持体に接続され、前記右上モーターの自重を受ける右上弾性体とを備えている
ことを特徴とする請求項４記載の角材の面取り装置。
【請求項６】
正面視、左下カッターが左上カッターより前方に、右下カッターが右上カッターより前方に、それぞれ位置し、
側面視、前記左下カッターが前記右下カッターに、前記左上カッターが前記右上カッターに、それぞれ対向する位置にあり、
左下側面当接部材が右下側面当接部材に対向し、
左上側面当接部材が右上側面当接部材に対向し、
搬送される角材を左下水平側弾性体で付勢された前記左下側面当接部材と右下水平側弾性体で付勢された前記右下側面当接部材で挟持した状態で、前記左下カッターによる前記角材の左下コーナー部の面取りと前記右下カッターによる前記角材の右下コーナー部の面取りとを同時に行い、その後、搬送される前記角材を左上水平側弾性体で付勢された前記左上側面当接部材と右上水平側弾性体で付勢された前記右上側面当接部材で挟持した状態で、前記左上カッターによる前記角材の左上コーナー部の面取りと前記右上カッターによる前記角材の右上コーナー部の面取りとを同時に行う
ことを特徴とする請求項４記載の角材の面取り装置。
【請求項７】
正面視、左下カッターが左上カッターより後方に、右下カッターが右上カッターより後方に、それぞれ位置し、
側面視、前記左下カッターが前記右下カッターに、前記左上カッターが前記右上カッターに、それぞれ対向する位置にあり、
左下側面当接部材が右下側面当接部材に対向し、
左上側面当接部材が右上側面当接部材に対向し、
搬送される角材を左上水平側弾性体で付勢された左上側面当接部材と右上水平側弾性体で付勢された右上側面当接部材で挟持した状態で、左上カッターによる角材の左上コーナー部の面取りと右上カッターによる角材の右上コーナー部の面取りとを同時に行い、その後、搬送される角材を左下水平側弾性体で付勢された左下側面当接部材と右下水平側弾性体で付勢された右下側面当接部材で挟持した状態で、左下カッターによる角材の左下コーナー部の面取りと右下カッターによる角材の右下コーナー部の面取りとを同時に行う
ことを特徴とする請求項４記載の角材の面取り装置。
【請求項８】
搬送される角材の左下コーナー部、右下コーナー部、左上コーナー部及び右上コーナー部を切削して角材の面取りを行う角材の面取り方法であって、
角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、
前記左下カッターを支持する左下カッター支持体は、水平方向、垂直方向及び搬送される前記角材の長手方向を横断する回動方向に移動でないように支持され、
前記右下カッターを支持する右下カッター支持体は、水平方向、垂直方向及び搬送される前記角材の長手方向を横断する回動方向に移動できるように支持され、
前記左上カッターを支持する左上カッター支持体は、水平方向、垂直方向及び搬送される前記角材の長手方向を横断する回動方向に移動できるように支持され、
前記右上カッターを支持する右上カッター支持体は、水平方向、垂直方向及び搬送される前記角材の長手方向を横断する回動方向に移動できるように支持され、
前記左下カッターにより前記角材の左下コーナー部の長手方向に沿って面取りし、
前記右下カッター支持体は、前記角材の右下コーナー部の長手方向の形状に応じて移動し、前記右下カッターにより前記角材の右下コーナー部の長手方向に沿って面取りし、
前記左上カッター支持体は、前記角材の左上コーナー部の長手方向の形状に応じて移動し、前記左上カッターにより前記角材の左上コーナー部の長手方向に沿って面取りし、
前記右上カッター支持体は、前記角材の右上コーナー部の長手方向の形状に応じて移動し、前記右上カッターにより前記角材の右上コーナー部の長手方向に沿って面取りする
ことを特徴とする角材の面取り方法。
【請求項９】
搬送される角材の左下コーナー部、右下コーナー部、左上コーナー部及び右上コーナー部を切削して角材の面取りを行う角材の面取り方法であって、
角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、
前記左下カッターを支持する左下カッター支持体は、水平方向、垂直方向及び搬送される前記角材の長手方向を横断する回動方向に移動できるように支持され、
前記右下カッターを支持する右下カッター支持体は、水平方向、垂直方向及び搬送される前記角材の長手方向を横断する回動方向に移動でないように支持され、
前記左上カッターを支持する左上カッター支持体は、水平方向、垂直方向及び搬送される前記角材の長手方向を横断する回動方向に移動できるように支持され、
前記右上カッターを支持する右上カッター支持体は、水平方向、垂直方向及び搬送される前記角材の長手方向を横断する回動方向に移動できるように支持され、
前記左下カッター支持体は、前記角材の左下コーナー部の長手方向の形状に応じて移動し、前記左下カッターにより前記角材の左下コーナー部の長手方向に沿って面取りし、
前記右下カッターにより前記角材の右下コーナー部の長手方向に沿って面取りし、
前記左上カッター支持体は、前記角材の左上コーナー部の長手方向の形状に応じて移動し、前記左上カッターにより前記角材の左上コーナー部の長手方向に沿って面取りし、
前記右上カッター支持体は、前記角材の右上コーナー部の長手方向の形状に応じて移動し、前記右上カッターにより前記角材の右上コーナー部の長手方向に沿って面取りする
ことを特徴とする角材の面取り方法。
【発明の詳細な説明】
【技術分野】
【０００１】
本発明は、角材の面取り方法及び角材の面取り装置に係り、特に、角材の長手方向の反り、捻れ等に対応することができる角材の面取り方法及び角材の面取り装置に関する。
【背景技術】
【０００２】
従来、角材の面取りを行う角材の面取り装置がある（特許文献の図２１参照）。
この角材の面取り装置は、特許文献の図２１に示すように、面取り機構３８、３８’は、角材の対角線に対応する位置に計２対設けられており、それぞれモータ３８ａとこれにより回転駆動されるカッター３８ｂとを備えている。モータまたはこれを搭載したベースは創傷加工時にはカッターが角材に接触しない位置に後退できるように位置変位可能となっている（特許文献の段落番号００３２参照）。
【先行技術文献】
【特許文献】
【０００３】
【特許文献１】特開２００４−２１６７００号公報
【発明の概要】
【発明が解決しようとする課題】
【０００４】
しかしながら、上述の角材の面取り装置にあっては、角材の長手方向に反り、捻れ等が有った場合、対応できず、面取りが不均一になるという問題点が生じた。
【０００５】
本発明は、上記事情を考慮してなされたもので、角材の長手方向の反り、捻れ等に対応することができる角材の面取り方法及び角材の面取り装置を提供することを目的とする。
【課題を解決するための手段】
【０００６】
請求項１記載の角材の面取り方法は、搬送される角材の左下コーナー部、右下コーナー部、左上コーナー部及び右上コーナー部を切削して角材の面取りを行う角材の面取り方法であって、角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、前記左下カッターを支持する左下カッター支持体は、水平方向、垂直方向及び搬送される前記角材の長手方向を横断する回動方向に移動できるように支持され、前記右下カッターを支持する右下カッター支持体は、水平方向、垂直方向及び搬送される前記角材の長手方向を横断する回動方向に移動できるように支持され、前記左上カッターを支持する左上カッター支持体は、水平方向、垂直方向及び搬送される前記角材の長手方向を横断する回動方向に移動できるように支持され、前記右上カッターを支持する右上カッター支持体は、水平方向、垂直方向及び搬送される前記角材の長手方向を横断する回動方向に移動できるように支持され、前記左下カッター支持体は、前記角材の左下コーナー部の長手方向の形状に応じて移動し、前記左下カッターにより前記角材の左下コーナー部の長手方向に沿って面取りし、前記右下カッター支持体は、前記角材の右下コーナー部の長手方向の形状に応じて移動し、前記右下カッターにより前記角材の右下コーナー部の長手方向に沿って面取りし、前記左上カッター支持体は、前記角材の左上コーナー部の長手方向の形状に応じて移動し、前記左上カッターにより前記角材の左上コーナー部の長手方向に沿って面取りし、前記右上カッター支持体は、前記角材の右上コーナー部の長手方向の形状に応じて移動し、前記右上カッターにより前記角材の右上コーナー部の長手方向に沿って面取りする
ものである。
【０００７】
また、請求項２記載の角材の面取り方法は、請求項１記載の角材の面取り方法において、左下カッター支持体には、角材の左下面に当接する左下面当接部材と前記角材の左下側面に当接する左下側面当接部材を有し、右下カッター支持体には、角材の右下面に当接する右下面当接部材と前記角材の右下側面に当接する右下側面当接部材を有し、左上カッター支持体には、角材の左上面に当接する左上面当接部材と前記角材の左上側面に当接する左上側面当接部材を有し、右上カッター支持体には、角材の右上面に当接する右上面当接部材と前記角材の右上側面に当接する右上側面当接部材を有しているものである。
【０００８】
また、請求項３記載の角材の面取り方法は、請求項１記載の角材の面取り方法において、搬送される角材を左下水平側弾性体で付勢された左下側面当接部材と右下水平側弾性体弾性体で付勢された右下側面当接部材で挟持した状態で、左下カッターによる前記角材の左下コーナー部の面取りと右下カッターによる前記角材の右下コーナー部の面取りとを同時に行い、その後、搬送される前記角材を左上水平側弾性体で付勢された左上側面当接部材と右上水平側弾性体で付勢された右上側面当接部材で挟持した状態で、左上カッターによる前記角材の左上コーナー部の面取りと右上カッターによる前記角材の右上コーナー部の面取りとを同時に行うか、又は、搬送される角材を左上水平側弾性体で付勢された左上側面当接部材と右上水平側弾性体で付勢された右上側面当接部材で挟持した状態で、左上カッターによる前記角材の左上コーナー部の面取りと右上カッターによる前記角材の右上コーナー部の面取りとを同時に行い、その後、搬送される前記角材を左下水平側弾性体で付勢された左下側面当接部材と右下水平側弾性体で付勢された右下側面当接部材で挟持した状態で、左下カッターによる前記角材の左下コーナー部の面取りと右下カッターによる前記角材の右下コーナー部の面取りとを同時に行うものである。
【０００９】
また、請求項４記載の角材の面取り装置は、 搬送される角材の左下コーナー部、右下コーナー部、左上コーナー部及び右上コーナー部を切削して角材の面取りを行う角材の面取り装置であって、左下カッターと、この左下カッターを支持すると共に、左下回動軸を有した左下カッター支持体と、この左下カッター支持体に接続され、搬送される前記角材に直交する水平方向に移動可能な左下水平移動部材と、この左下水平移動部材を水平方向に付勢する左下水平側弾性体と、前記左下カッター支持体に接続され、搬送される前記角材に直交する垂直方向に移動可能な左下垂直移動部材と、この左下垂直移動部材を垂直方向に付勢する左下垂直側弾性体と、前記左下カッター支持体に設けられ、前記角材の左下面に当接する左下面当接部材と、前記左下カッター支持体に設けられ、前記角材の左下側面に当接する左下側面当接部材と、前記左下カッター支持体に設けられ、前記左下面当接部材と前記左下側面当接部材のコーナー部に形成された隙間より突出するように設けられた前記左下カッターと、右下カッターと、この右下カッターを支持すると共に、右下回動軸を有した右下カッター支持体と、この右下カッター支持体に接続され、搬送される前記角材に直交する水平方向に移動可能な右下水平移動部材と、この右下水平移動部材を水平方向に付勢する右下水平側弾性体と、前記右下カッター支持体に接続され、搬送される前記角材に直交する垂直方向に移動可能な右下垂直移動部材と、この右下垂直移動部材を垂直方向に付勢する右下垂直側弾性体と、前記右下カッター支持体に設けられ、前記角材の右下面に当接する右下面当接部材と、前記右下カッター支持体に設けられ、前記角材の右下側面に当接する右下側面当接部材と、前記右下カッター支持体に設けられ、前記右下面当接部材と前記右下側面当接部材のコーナー部に形成された隙間より突出するように設けられた前記右下カッターと、左上カッターと、この左上カッターを支持すると共に、左上回動軸を有した左上カッター支持体と、この左上カッター支持体に接続され、搬送される前記角材に直交する水平方向に移動可能な左上水平移動部材と、この左上水平移動部材を水平方向に付勢する左上水平側弾性体と、前記左上カッター支持体に接続され、搬送される前記角材に直交する垂直方向に移動可能な左上垂直移動部材と、この左上垂直移動部材を垂直方向に付勢する左上垂直側弾性体と、前記左上カッター支持体に設けられ、前記角材の左上面に当接する左上面当接部材と、前記左上カッター支持体に設けられ、前記角材の左上側面に当接する左上側面当接部材と、前記左上カッター支持体に設けられ、前記左上面当接部材と前記左上側面当接部材のコーナー部に形成された隙間より突出するように設けられた前記左上カッターと、右上カッターと、この右上カッターを支持すると共に、右上回動軸を有した右上カッター支持体と、この右上カッター支持体に接続され、搬送される前記角材に直交する水平方向に移動可能な右上水平移動部材と、この右上水平移動部材を水平方向に付勢する右上水平側弾性体と、前記右上カッター支持体に接続され、搬送される前記角材に直交する垂直方向に移動可能な右上垂直移動部材と、この右上垂直移動部材を垂直方��に付勢する右上垂直側弾性体と、前記右上カッター支持体に設けられ、前記角材の右上面に当接する右上面当接部材と、前記右上カッター支持体に設けられ、前記角材の右上側面に当接する右上側面当接部材と、前記右上カッター支持体に設けられ、前記右上面当接部材と前記右上側面当接部材のコーナー部に形成された隙間より突出するように設けられた前記右上カッターとを備え、予め、前記左下面当接部材の上端面を搬送される前記角材の下面より上位に、前記左下側面当接部材の右端面を搬送される前記角材の左側面より内側に、前記右下面当接部材の上端面を搬送される前記角材の下面より上位に、前記右下側面当接部材の左端面を搬送される前記角材の右側面より内側に、前記左上面当接部材の下端面を搬送される前記角材の上面より下位に、前記左上側面当接部材の右端面を搬送される前記角材の左側面より内側に、前記右上面当接部材の下端面を搬送される前記角材の上面より下位に、前記右上側面当接部材の左端面を搬送される前記角材の右側面より内側に、それぞれ位置させているものである。
【００１０】
また、請求項５記載の角材の面取り装置は、請求項４記載の角材の面取り装置において、左下カッターを駆動する左下モーターと、この左下モーターを支持すると共に、左下カッター支持体に取り付けられた左下モーター支持部材と、一端を前記左下モーター支持部材に、他端を前記左下カッター支持体に接続され、前記左下モーターの自重を受ける左下弾性体と、右下カッターを駆動する右下モーターと、この右下モーターを支持すると共に、右下カッター支持体に取り付けられた右下モーター支持部材と、一端を前記右下モーター支持部材に、他端を前記右下カッター支持体に接続され、前記右下モーターの自重を受ける右下弾性体と、左上カッターを駆動する左上モーターと、この左上モーターを支持すると共に、左上カッター支持体に取り付けられた左上モーター支持部材と、一端を前記左上モーター支持部材に、他端を前記左上カッター支持体に接続され、前記左上モーターの自重を受ける左上弾性体と、右上カッターを駆動する右上モーターと、この右上モーターを支持すると共に、右上カッター支持体に取り付けられた右上モーター支持部材と、一端を前記右上モーター支持部材に、他端を前記右上カッター支持体に接続され、前記右上モーターの自重を受ける右上弾性体とを備えているものである。
【００１１】
また、請求項６記載の角材の面取り装置は、請求項４記載の角材の面取り装置において、正面視、左下カッターが左上カッターより前方に、右下カッターが右上カッターより前方に、それぞれ位置し、側面視、前記左下カッターが前記右下カッターに、前記左上カッターが前記右上カッターに、それぞれ対向する位置にあり、左下側面当接部材が右下側面当接部材に対向し、左上側面当接部材が右上側面当接部材に対向し、搬送される角材を左下水平側弾性体で付勢された前記左下側面当接部材と右下水平側弾性体で付勢された前記右下側面当接部材で挟持した状態で、前記左下カッターによる前記角材の左下コーナー部の面取りと前記右下カッターによる前記角材の右下コーナー部の面取りとを同時に行い、その後、搬送される前記角材を左上水平側弾性体で付勢された前記左上側面当接部材と右上水平側弾性体で付勢された前記右上側面当接部材で挟持した状態で、前記左上カッターによる前記角材の左上コーナー部の面取りと前記右上カッターによる前記角材の右上コーナー部の面取りとを同時に行うものである。
【００１２】
また、請求項７記載の角材の面取り装置は、請求項４記載の角材の面取り装置において、正面視、左下カッターが左上カッターより後方に、右下カッターが右上カッターより後方に、それぞれ位置し、側面視、前記左下カッターが前記右下カッターに、前記左上カッターが前記右上カッターに、それぞれ対向する位置にあり、左下側面当接部材が右下側面当接部材に対向し、左上側面当接部材が右上側面当接部材に対向し、搬送される角材を左上水平側弾性体で付勢された左上側面当接部材と右上水平側弾性体で付勢された右上側面当接部材で挟持した状態で、左上カッターによる角材の左上コーナー部の面取りと右上カッターによる角材の右上コーナー部の面取りとを同時に行い、その後、搬送される角材を左下水平側弾性体で付勢された左下側面当接部材と右下水平側弾性体で付勢された右下側面当接部材で挟持した状態で、左下カッターによる角材の左下コーナー部の面取りと右下カッターによる角材の右下コーナー部の面取りとを同時に行うものである。
【００１３】
また、請求項８記載の角材の面取り方法は、搬送される角材の左下コーナー部、右下コーナー部、左上コーナー部及び右上コーナー部を切削して角材の面取りを行う角材の面取り方法であって、角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、前記左下カッターを支持する左下カッター支持体は、水平方向、垂直方向及び搬送される前記角材の長手方向を横断する回動方向に移動でないように支持され、前記右下カッターを支持する右下カッター支持体は、水平方向、垂直方向及び搬送される前記角材の長手方向を横断する回動方向に移動できるように支持され、前記左上カッターを支持する左上カッター支持体は、水平方向、垂直方向及び搬送される前記角材の長手方向を横断する回動方向に移動できるように支持され、前記右上カッターを支持する右上カッター支持体は、水平方向、垂直方向及び搬送される前記角材の長手方向を横断する回動方向に移動できるように支持され、前記左下カッターにより前記角材の左下コーナー部の長手方向に沿って面取りし、前記右下カッター支持体は、前記角材の右下コーナー部の長手方向の形状に応じて移動し、前記右下カッターにより前記角材の右下コーナー部の長手方向に沿って面取りし、前記左上カッター支持体は、前記角材の左上コーナー部の長手方向の形状に応じて移動し、前記左上カッターにより前記角材の左上コーナー部の長手方向に沿って面取りし、前記右上カッター支持体は、前記角材の右上コーナー部の長手方向の形状に応じて移動し、前記右上カッターにより前記角材の右上コーナー部の長手方向に沿って面取りする
ものである。
【００１４】
また、請求項９記載の角材の面取り方法は、搬送される角材の左下コーナー部、右下コーナー部、左上コーナー部及び右上コーナー部を切削して角材の面取りを行う角材の面取り方法であって、角材を投入する側から見て、搬送される前記角材の左下コーナー部に左下カッター、搬送される前記角材の右下コーナー部に右下カッター、搬送される前記角材の左上コーナー部に左上カッター、搬送される前記角材の右上コーナー部に右上カッターがそれぞれ位置し、前記左下カッターを支持する左下カッター支持体は、水平方向、垂直方向及び搬送される前記角材の長手方向を横断する回動方向に移動できるように支持され、前記右下カッターを支持する右下カッター支持体は、水平方向、垂直方向及び搬送される前記角材の長手方向を横断する回動方向に移動でないように支持され、前記左上カッターを支持する左上カッター支持体は、水平方向、垂直方向及び搬送される前記角材の長手方向を横断する回動方向に移動できるように支持され、前記右上カッターを支持する右上カッター支持体は、水平方向、垂直方向及び搬送される前記角材の長手方向を横断する回動方向に移動できるように支持され、前記左下カッター支持体は、前記角材の左下コーナー部の長手方向の形状に応じて移動し、前記左下カッターにより前記角材の左下コーナー部の長手方向に沿って面取りし、前記右下カッターにより前記角材の右下コーナー部の長手方向に沿って面取りし、前記左上カッター支持体は、前記角材の左上コーナー部の長手方向の形状に応じて移動し、前記左上カッターにより前記角材の左上コーナー部の長手方向に沿って面取りし、前記右上カッター支持体は、前記角材の右上コーナー部の長手方向の形状に応じて移動し、前記右上カッターにより前記角材の右上コーナー部の長手方向に沿って面取りするものである。
【発明の効果】
【００１５】
請求項１記載の角材の面取り方法によれば、左下カッター支持体は、角材の左下コーナー部の長手方向の形状に応じて、水平方向、垂直方向及び回動方向に移動し、左下カッターにより角材の左下コーナー部の長手方向に沿って面取りし、右下カッター支持体は、角材の右下コーナー部の長手方向の形状に応じて移動し、右下カッターにより角材の右下コーナー部の長手方向に沿って面取りし、左上カッター支持体は、角材の左上コーナー部の長手方向の形状に応じて移動し、左上カッターにより角材の左上コーナー部の長手方向に沿って面取りし、右上カッター支持体は、角材の右上コーナー部の長手方向の形状に応じて移動し、右上カッターにより角材の右上コーナー部の長手方向に沿って面取りするため、角材のコーナー部の長手方向に反り、捻れ等があっても、左下カッター、右下カッター、左上カッター及び右上カッターは、角材のコーナー部の長手方向に沿って移動して、角材の面取りを行うことができる。
【００１６】
また、請求項２記載の角材の面取り方法によれば、上述した請求項１記載の発明の効果に加え、左下カッター支持体には、角材の左下面に当接する左下面当接部材と角材の左下側面に当接する左下側面当接部材を有しているため、左下カッター支持体は、角材の左下コーナー部の長手方向の形状に応じて移動して、左下カッターによる角材の左下コーナー部の面取りを行うことができ、右下カッター支持体には、角材の右下面に当接する右下面当接部材と角材の右下側面に当接する右下側面当接部材を有しているため、右下カッター支持体は、角材の右下コーナー部の長手方向の形状に応じて移動して、右下カッターによる角材の右下コーナー部の面取りを行うことができ、左上カッター支持体には、角材の左上面に当接する左上面当接部材と角材の左上側面に当接する左上側面当接部材を有しているため、左上カッター支持体は、角材の左上コーナー部の長手方向の形状に応じて移動して、左上カッターによる角材の左上コーナー部の面取りを行うことができ、右上カッター支持体には、角材の右上面に当接する右上面当接部材と角材の右上側面に当接する右上側面当接部材を有しているため、右上カッター支持体は、角材の右上コーナー部の長手方向の形状に応じて移動して、右上カッターによる角材の右上コーナー部の面取りを行うことができる。
【００１７】
また、請求項３記載の角材の面取り方法によれば、上述した請求項１記載の発明の効果に加え、搬送される角材を左下水平側弾性体で付勢された左下側面当接部材と右下水平側弾性体で付勢された右下側面当接部材で挟持した状態で、左下カッターによる角材の左下コーナー部の面取りと右下カッターによる角材の右下コーナー部の面取りとを同時に行うため、搬送される角材の挟持が容易で、また、搬送される角材を左上水平側弾性体で付勢された左上側面当接部材と右上水平側弾性体で付勢された右上側面当接部材で挟持した状態で、左下カッターによる左上カッターによる角材の左上コーナー部の面取りと右上カッターによる角材の右上コーナー部の面取りとを同時に行うため、搬送される角材の挟持が容易で、しかも、四カ所同時に面取りするものに比較し、搬送される角材の抵抗が分散され、搬送される動力の軽減化をも図ることができる。
【００１８】
また、請求項４記載の角材の面取り装置によれば、左下カッター支持体、右下カッター支持体、左上カッター支持体及び右上カッター支持体は、水平方向、垂直方向及び搬送される前記角材の長手方向を横断する回動方向に移動できるように支持され、また、予め、前記左下面当接部材の上端面を搬送される前記角材の下面より上位に、前記左下側面当接部の右端面を搬送される前記角材の左側面より内側に、前記右下面当接部材の上端面を搬送される前記角材の下面より上位に、前記右下側面当接部の左端面を搬送される前記角材の右側面より内側に、前記左上面当接部材の下端面を搬送される前記角材の上面より下位に、前記左上側面当接部の右端面を搬送される前記角材の左側面より内側に、前記右上面当接部材の下端面を搬送される前記角材の上面より下位に、前記右上側面当接部の左端面を搬送される前記角材の右側面より内側に、それぞれ位置させているため、左下カッター支持体は、角材の左下コーナー部の長手方向の形状に応じて、水平方向、垂直方向及び回動方向に移動して、左下カッターによる角材の左下コーナー部の面取りを行うことができ、右下カッター支持体は、角材の右下コーナー部の長手方向の形状に応じて、水平方向、垂直方向及び回動方向に移動して、右下カッターによる角材の右下コーナー部の面取りを行うことができ、左上カッター支持体は、角材の左上コーナー部の長手方向の形状に応じて、水平方向、垂直方向及び回動方向に移動して、左上カッターによる角材の左上コーナー部の面取りを行うことができ、右上カッター支持体は、角材の右上コーナー部の長手方向の形状に応じて、水平方向、垂直方向及び回動方向に移動して、右上カッターによる角材の右上コーナー部の面取りを行うことができる。
【００１９】
また、請求項５記載の角材の面取り装置によれば、上述した請求項４記載の発明の効果に加え、左下弾性体により左下モーターの自重を、右下弾性体により右下モーターの自重を、左上弾性体により左上モーターの自重を、左上弾性体により左上モーターの自重を、受けるため、角材にモーターの自重がそのままかからないようにして、角材の搬送に要する動力の軽減化を図ることができる。
【００２０】
また、請求項６記載の角材の面取り装置によれば、上述した請求項４記載の発明の効果に加え、搬送される角材を左下水平側弾性体で付勢された左下側面当接部材と右下水平側弾性体で付勢された右下側面当接部材で挟持した状態で、左下カッターによる角材の左下コーナー部の面取りと右下カッターによる角材の右下コーナー部の面取りとを同時に行うため、搬送される角材の挟持が容易で、また、搬送される角材を左上水平側弾性体で付勢された左上側面当接部材と右上水平側弾性体で付勢された右上側面当接部材で挟持した状態で、左上カッターによる角材の左上コーナー部の面取りと右上カッターによる角材の右上コーナー部の面取りとを同時に行うため、搬送される角材の挟持が容易で、しかも、四カ所同時に面取りするものに比較し、搬送される角材の抵抗が分散され、搬送される動力の軽減化をも図ることができる。
【００２１】
また、請求項７記載の角材の面取り装置によれば、上述した請求項４記載の発明の効果に加え、搬送される角材を左上水平側弾性体で付勢された左上側面当接部材と右上水平側弾性体で付勢された右上側面当接部材で挟持した状態で、左上カッターによる角材の左上コーナー部の面取りと右上カッターによる角材の右上コーナー部の面取りとを同時に行い、その後、搬送される角材を左下水平側弾性体で付勢された左下側面当接部材と右下水平側弾性体で付勢された右下側面当接部材で挟持した状態で、左下カッターによる角材の左下コーナー部の面取りと右下カッターによる角材の右下コーナー部の面取りとを同時に行うため、搬送される角材の挟持が容易で、しかも、四カ所同時に面取りするものに比較し、搬送される角材の抵抗が分散され、搬送される動力の軽減化をも図ることができる。
【００２２】
また、請求項８記載の角材の面取り方法によれば、左下カッターにより角材の左下コーナー部の長手方向に沿って面取りし、右下カッター支持体は、角材の右下コーナー部の長手方向の形状に応じて移動し、右下カッターにより角材の右下コーナー部の長手方向に沿って面取りし、左上カッター支持体は、角材の左上コーナー部の長手方向の形状に応じて移動し、左上カッターにより角材の左上コーナー部の長手方向に沿って面取りし、右上カッター支持体は、角材の右上コーナー部の長手方向の形状に応じて移動し、右上カッターにより角材の右上コーナー部の長手方向に沿って面取りするため、角材のコーナー部の長手方向に反り、捻れ等があっても、左下カッター、右下カッター、左上カッター及び右上カッターは、角材のコーナー部の長手方向に沿って移動して、角材の面取りを行うことができ、左下カッターを支持する左下カッター支持体は、水平方向、垂直方向及び搬送される角材の長手方向を横断する回動方向に移動でないように支持されているため、水平方向、垂直方向及び搬送される角材の長手方向を横断する回動方向に移動するように支持した支持体に比べ、コストの低減化を図ることができる。
【００２３】
また、請求項９記載の角材の面取り方法によれば、左下カッター支持体は、角材の左下コーナー部の長手方向の形状に応じて、水平方向、垂直方向及び回動方向に移動し、左下カッターにより角材の左下コーナー部の長手方向に沿って面取りし、右下カッターにより角材の右下コーナー部の長手方向に沿って面取りし、左上カッター支持体は、角材の左上コーナー部の長手方向の形状に応じて移動し、左上カッターにより角材の左上コーナー部の長手方向に沿って面取りし、右上カッター支持体は、角材の右上コーナー部の長手方向の形状に応じて移動し、右上カッターにより角材の右上コーナー部の長手方向に沿って面取りするため、角材のコーナー部の長手方向に反り、捻れ等があっても、左下カッター、右下カッター、左上カッター及び右上カッターは、角材のコーナー部の長手方向に沿って移動して、角材の面取りを行うことができ、右下カッターを支持する右下カッター支持体は、水平方向、垂直方向及び搬送される角材の長手方向を横断する回動方向に移動でないように支持されているため、水平方向、垂直方向及び搬送される角材の長手方向を横断する回動方向に移動するように支持した支持体に比べ、コストの低減化を図ることができる。
【図面の簡単な説明】
【００２４】
【図１】図１は、本発明の一実施例の角材の面取り方法を実施するための角材の面取り装置の使用状態を示す概略的斜視図である。
【図２】図２（ａ）は、角材の下部コーナーを切削する状態を、図２（ｂ）は、角材の上部コーナーを切削する状態を、角材の投入側から見た概略的図である。
【図３】図３（ａ）は、図２（ａ）の一部の概略的図であり、図３（ｂ）は、左下カッター及び右下カッターは送材面（第１、第２、第３、第４の下ロール）より上に、左上カッター及び右上カッターは厚みロール（第１、第２、第３、第４の上ロール）より下に、左上カッター及び左下カッターは左サイドロールより右に、右上カッター及び右下カッターは右サイドロールより左に、それぞれ初期に位置決めされている状態を示す概略的図である。
【図４】図４は、図２（ｂ）の一部の概略的図である。
【図５】図５は、図１の左上カッターと左下カッターの動きを説明するための概略的図である。
【図６】図６は、面取り対象の角材と右上カッターとの関係を示す概略的図である。
【図７】図７（ａ）（ｂ）は、左下面当接部材の上端面及び左下側面当接部材の右端面が面取り対象の角材の左下コーナー部にぴったり当接し、左下カッター支持体が移動する状態を示す概略的図である。
【図８】図８は、左下カッター、右下カッター、左下カッター用サイドロール、右下カッター用サイドロールの位置関係を示す概略的平面図である。
【図９】図９は、図８の概略的正面図である。
【図１０】図１０は、図８の一部の概略的平面図である。
【図１１】図１１は、図１０の一部を拡大して示す概略的一部拡大平面図である。
【図１２】図１２は、図１１の接続部材Ｓ１Ａに左下垂直移動部材ＬＤＶ１が接続される前の状態を示す概略的一部拡大平面図である。
【図１３】図１３は、図１０の概略的側面図である。
【図１４】図１４は、図１３の一部を拡大して示す概略的一部拡大側面図である。
【図１５】図１５は、図１０の概略的正面図である。
【図１６】図１６は、図１５の一部を拡大して示す概略的一部拡大正面図である。
【図１７】図１７は、図１６の左下回動部材ＬＤＫ１に左下垂直移動部材ＬＤＶ１が接続される前の状態を示す概略的一部拡大正面図である。
【図１８】図１８は、左上カッター、右上カッター、左上カッター用サイドロール、右上カッター用サイドロールの位置関係を示す概略的平面図である。
【図１９】図１９は、図１３の概略的正面図である。
【図２０】図２０は、図１９の一部を拡大して示す概略的一部拡大正面図である。
【図２１】図２１は、図２０の概略的右側面図である。
【図２２】図２２は、図２０の一部を拡大して示す概略的一部拡大正面図である。
【図２３】図２３は、図２０の一部を拡大して示す概略的一部拡大正面図である。
【図２４】図２４（ａ）は、カッター部分を省略した左上カッター用サイドロール、右上カッター用サイドロールを示す概略的正面図であり、図２４（ｂ）は、図２４（ａ）の概略的右側面図である。
【図２５】図２５は、右上カッターの厚さ方向移動と右上カッター用サイドロールを示す概略的側面図である。
【発明を実施するための形態】
【００２５】
本発明の一実施例の角材の面取り方法及び角材の面取り装置を図面（図１乃至図２５）を参照して説明する。
図１、図２（ａ）（ｂ）に示すＭは角材の面取り装置で、角材の面取り装置Ｍは、搬送される角材１の左下コーナー部ＬＤ（図６）、右下コーナー部ＲＤ（図６）、左上コーナー部ＬＵ（図６）及び右上コーナー部ＲＵ（図６）を切削して角材１の面取りを行う角材の面取り方法に使用される角材の面取り装置である。
【００２６】
図２（ａ）（ｂ）に示すように、角材１を投入する側から見て、搬送される角材１の左下コーナー部ＬＤ（図６）に左下カッターＬＤＣ、搬送される角材１の右下コーナー部ＲＤ（図６）に右下カッターＲＤＣ、搬送される角材１の左上コーナー部ＬＵ（図６）に左上カッターＬＵＣ、搬送される角材１の右上コーナー部ＲＵ（図６）に右上カッターＲＵＣが、それぞれ位置している［図１及び図２（ａ）（ｂ）］。
また、角材１を投入する側から見て（正面視）、左下カッターＬＤＣが左上カッターＬＵＣより前方に、右下カッターＲＤＣが右上カッターＲＵＣより前方に、それぞれ位置し、角材１を投入する側を正面とすれば、側面視、左下カッターＬＤＣが右下カッターＲＤＣに、左上カッターＬＵＣが右上カッターＲＵＣに、それぞれ対向する位置にある（図１は、斜視図であるが、図１参照）。
【００２７】
本実施例の角材の面取り装置Ｍは、前方において、角材１の左下コーナー部ＬＤ（図６）と右下コーナー部ＲＤ（図６）の面取りを行い、その後、後方において、角材１の左上コーナー部ＬＵ（図６）と右上コーナー部ＲＵ（図６）の面取りを行うようにしている。
これは、角材１の左下コーナー部ＬＤ、右下コーナー部ＲＤ、左上コーナー部ＬＵ及び右上コーナー部ＲＵの面取りを四カ所同時に面取りするものに比較し、搬送される角材１の抵抗が分散され、搬送される動力の軽減化を図るためである。
【００２８】
角材１の左下コーナー部ＬＤと右下コーナー部ＲＤの面取りにおいては、図３（ｂ）に示すように、予め、左下面当接部材ＬＤＴ１の下端面を搬送される角材１の下面より上位に、 右下面当接部材ＲＤＴ１の下端面を搬送される角材１の下面より上位に、それぞれ位置させている。
これは、搬送される角材１の下面が、左下面当接部材ＬＤＴ１の上端面を乗り越えて、左下垂直側弾性体Ｄ１による付勢力を左下面当接部材ＬＤＴ１の上端面を介して、角材１の下面に作用させ、
また、搬送される角材１の下面が、右下面当接部材ＲＤＴ１の下端面を乗り越えて、右下垂直側弾性体Ｄ２による付勢力を右下面当接部材ＲＤＴ１の上端面を介して、角材１の下面に作用させ、るためである。
また、左下側面当接部材ＬＤＳ１の右端面を搬送される角材１の左側面より内側（右）に、右下側面当接部材ＲＤＳ１の左端面を搬送される角材１の右側面より内側（左）に、それぞれ位置させている。
これは、搬送される角材１の左側面が、左下側面当接部材ＬＤＳ１の右端面を乗り越えて、左下水平側弾性体ＬＤＤによる付勢力を左下側面当接部材ＬＤＳ１の右端面を介して、角材１の左側面に作用させ、
搬送される角材１の右側面が、右下側面当接部材ＲＤＳ１の左端面を乗り越えて、右下水平側弾性体ＲＤＤによる付勢力を右下側面当接部材ＲＤＳ１の左端面を介して、角材１の右側面に作用させるためである。
そのため、左下カッターＬＤＣ及び右下カッターＲＤＣは、角材１の送材面より上に、左下カッターＬＤＣは左サイドロール１１より右に、右下カッターＲＤＣは右サイドロール２１より左に、それぞれ初期に（予め）位置決めされている。
【００２９】
なお、図１に示すＵＬ１は第１の上ロール、ＵＬ２は第２の上ロール、ＵＬ３は第３の上ロール（厚みロール）、ＵＬ４は第４の上ロール、ＤＬ１は第１の下ロール、ＤＬ２は第２の下ロール、ＤＬ３は第３の下ロール、ＤＬ４は第４の下ロールである。
【００３０】
角材１の左下コーナー部の面取りについて、図１、図２（ａ）、図３（ａ）（ｂ）、図４、図５、図７（ａ）（ｂ）〜図１５を参照して、以下、説明する。
左下カッターＬＤＣ［図２（ａ）］は、角材１の左下コーナー部ＬＤ（図６）の長手方向の形状に応じて移動して角材１の左下コーナー部ＬＤの長手方向に沿って面取りできるようになっている。
そのため、左下カッターＬＤＣは、図２（ａ）に示すように、水平方向（左右方向）Ｈ１、垂直方向（上下方向）Ｖ１及び搬送される角材１の長手方向を横断する回動方向Ｒ１に移動できるように支持されている。
【００３１】
即ち、図４及び図５に示すように、Ｓ１は左下カッターＬＤＣを支持する左下カッター支持体で、左下カッター支持体Ｓ１は、左下回動軸ＬＤＣ１を有し、図８及び図９に示すように、水平方向［図８及び図９においては、図示しないが、図２（ａ）で言えば、水平方向Ｈ１である。］、垂直方向［図８及び図９においては、図示しないが、図２（ａ）で言えば、垂直方向Ｖ１である。］及び搬送される角材１の長手方向を横断する回動方向［図８及び図９においては、図示しないが、図２（ａ）で言えば、回動方向Ｒ１である。］に移動できるようになっている。
また、図１５乃至図１７に示すように、左下回動部材ＬＤＫ１と左下垂直移動部材ＬＤＶ１は、左下回動部材ＬＤＫ１に設けた部材Ｋ１と左下垂直移動部材ＬＤＶ１に設けた部材Ｐ１で接続されている［図１６及び図１７参照］。
左下垂直移動部材ＬＤＶ１は、中途に、例えば、エアーシリンダー、バネ等の弾性体（左下垂直側弾性体Ｄ１）を備えている。
また、図１５乃至図１７に示すＳ１Ａは、左下垂直移動部材ＬＤＶ１に接続された接続部材で、Ｓ１Ｂは、左下回動部材ＬＤＫ１に接続された左下カッター移動部材で、左下カッター移動部材Ｓ１Ｂと接続部材Ｓ１Ａは、ボルトＢ１で接続されている［図１４参照］。
なお、左下回動部材ＬＤＫ１は、左下回動軸（左下カッター昇降用回動軸）ＬＤＫ１１で回動するようになっている。
また、左下カッター支持体Ｓ１は、図２乃至図１５に示すように、角材１の左下面１ｂ（図６参照）に当接する左下面当接部材ＬＤＴ１、角材１の左下側面１ａ（図６参照）に当接する左下側面当接部材ＬＤＳ１を有する。
また、左下カッター支持体Ｓ１に支持された左下カッターＬＤＣは、左下面当接部材ＬＤＴ１と左下側面当接部材ＬＤＳ１のコーナー部に形成された隙間より突出するように設けられている（図５参照）。ＬＤＭは、左下カッターＬＤＣを駆動する左下モーターで、ＬＤＭＳは、左下モーターＬＤＭを支持する左下モーター支持部材で、ＬＤＳＳは、左下モーターＬＤＭ、左下カッターＬＤＣ等の自重を受ける弾性体である左下弾性体（例えば、エアーシリンダー、バネ等）で、左下弾性体ＬＤＳＳは、一端を左下モーター支持部材ＬＤＭＳ、他端を左下回動部材ＬＤＫ１に接続されている。
また、図１０に示すように、ＬＤＨ１は、搬送される角材１に直交する水平方向に移動可能な左下水平移動部材で、左下水平移動部材ＬＤＨ１は、レールＲ１を介してスライド移動できるリニアガイドＬＧ１を有している。
ＬＤＤは、左下水平移動部材ＬＤＨ１と接続部材Ｓ１Ｃとに接続され、接続部材Ｓ１Ｃを搬送される角材１に近づく方向に付勢させる左下水平側弾性体で、左下水平側弾性体ＬＤＤは、接続部材Ｓ１Ｃを介して左下カッター移動部材Ｓ１Ｂに接続されている。接続部材Ｓ１Ｃと左下カッター移動部材Ｓ１Ｂは、固着手段（例えば、溶接）により接合されている。
また、ＬＤＤ’は、左下カッター用幅決めサイドロール１１と左下接続部材ＬＤＳとに接続され、左下カッター用幅決めサイドロール１１を対向する右下カッター用幅決めサイドロール２１に近づく方向（閉じる方向）に付勢させる左下カッター用幅決めサイドロール押さえ弾性体で、左下接続部材ＬＤＳは、部材Ｓ１Ｄを介して、左下水平移動部材ＬＤＨ１に接続されている。
なお、左下水平側弾性体ＬＤＤ及び左下カッター用幅決めサイドロール押さえ弾性体ＬＤＤ’は、例えば、エアーシリンダー、バネ等で構成することができる。
また、図１０に示す１２は、左下カッター用幅決めサイドロール１１を支持するサイドロール部材で、サイドロール部材１２は、左下水平移動部材ＬＤＨ１に接続されている。
【００３２】
次に、角材１の右下コーナー部ＲＤの面取りについて、以下、説明する。
右下カッターＲＤＣを支持する右下カッター支持体Ｓ２は、図８に示すように、上述した左下カッター支持体Ｓ１と対称的に設けられている。
右下カッターＲＤＣ［図２（ａ）］は、角材１の右下コーナー部ＲＤ（図６）の長手方向の形状に応じて移動して角材１の右下コーナー部ＲＤの長手方向に沿って面取りできるようになっている。
そのため、右下カッターＲＤＣは、図２（ａ）に示すように、水平方向（左右方向）Ｈ２、垂直方向（上下方向）Ｖ２及び搬送される角材１の長手方向を横断する回動方向Ｒ２に移動できるように支持されている。
【００３３】
即ち、図２に示すように、Ｓ２は右下カッターＲＤＣを支持する右下カッター支持体で、右下カッター支持体Ｓ２は、右下回動軸ＲＤＣ１を有し、図２に示すように、水平方向Ｈ２、垂直方向Ｖ２及び搬送される角材１の長手方向を横断する回動方向Ｒ２に移動できるようになっている。
また、図８に示すように、右下回動部材ＲＤＫ１と右下垂直移動部材ＲＤＶ１は、右下回動部材ＲＤＫ１に設けた部材（図示しないが、部材Ｋ１と同様な部材）と右下垂直移動部材ＲＤＶ１に設けた部材（図示しないが、部材Ｐ１と同様な部材）で接続されている（図８及び図９）。
右下垂直移動部材ＲＤＶ１は、中途に、例えば、エアーシリンダー、バネ等の弾性体（右下垂直側弾性体Ｄ２）を備えている。
また、図９に示すＳ２Ａは、右下垂直移動部材ＲＤＶ１に接続された接続部材で、
Ｓ２Ｂは、右下回動部材ＲＤＫ１に接続された右下カッター移動部材で、右下カッター移動部材Ｓ２Ｂと接続部材Ｓ２Ａは、ボルトＢ２で接続されている（図９参照）。
なお、右下回動部材ＲＤＫ１は、右下回動軸（右下カッター昇降用回動軸）ＲＤＫ１１で回動するようになっている。
また、右下カッター支持体Ｓ２は、図２乃至図１５に示すように、角材１の右下面１ｄ（図６参照）に当接する右下面当接部材ＲＤＴ１、角材１の右下側面１ｃ（図６参照）に当接する右下側面当接部材ＲＤＳ１を有する。
また、右下カッター支持体Ｓ２に支持された右下カッターＲＤＣは、右下面当接部材ＲＤＴ１と右下側面当接部材ＲＤＳ１のコーナー部に形成された隙間より突出するように設けられている（図示せず）。ＲＤＭは、右下カッターＲＤＣを駆動する右下モーターで、ＲＤＭＳは、右下モーターＲＤＭを支持する右下モーター支持部材で、ＲＤＳＳは、右下モーターＲＤＭ、右下カッターＲＤＣ等の自重を受ける弾性体である右下弾性体（例えば、エアーシリンダー、バネ等）で、右下弾性体ＲＤＳＳは、一端を右下モーター支持部材ＲＤＭＳ、他端を右下回動部材ＲＤＫ１に接続されている。
また、図８に示すように、ＲＤＨ１は、搬送される角材１に直交する水平方向に移動可能な右下水平移動部材で、右下水平移動部材ＲＤＨ１は、レールＲ２を介してスライド移動できるリニアガイドＲＧ１を有している。
ＲＤＤは、右下水平移動部材ＲＤＨ１と接続部材Ｓ２Ｃとに接続され、接続部材Ｓ２Ｃを搬送される角材１に近づく方向に付勢させる右下水平側弾性体で、右下水平側弾性体ＲＤＤは、接続部材Ｓ２Ｃを介して右下カッター移動部材Ｓ２Ｂに接続されている。接続部材Ｓ２Ｃと右下カッター移動部材Ｓ２Ｂは、固着手段（例えば、溶接）により接合されている。
また、ＲＤＤ’は、右下カッター用幅決めサイドロール２１と右下接続部材ＲＤＳとに接続され、右下カッター用幅決めサイドロール２１を対向する左下カッター用幅決めサイドロール１１に近づく方向（閉じる方向）に付勢させる右下カッター用幅決めサイドロール押さえ弾性体で、右下接続部材ＲＤＳは、部材Ｓ２Ｄを介して、右下水平移動部材ＲＤＨ１に接続されている。
なお、右下水平側弾性体ＲＤＤ及び右下カッター用幅決めサイドロール押さえ弾性体ＲＤＤ’は、例えば、エアーシリンダー、バネ等で構成することができる。
また、図８に示す２２は、右下カッター用幅決めサイドロール２１を支持するサイドロール部材で、サイドロール部材２２は、右下水平移動部材ＲＤＨ１に接続されている。
【００３４】
従って、図１に示すように、角材１が投入されると、駆動する第１の下ロールＤＬ１、第２の下ロールＤＬ２、第３の下ロールＤＬ３、第４の下ロールＤＬ４、駆動する第１の上ロールＵＬ１、従動する第２の上ロールＵＬ２、第３の上ロールＵＬ３、駆動する第４の上ロールＵＬ４により、角材１が投入側から排出側へと搬送される。
その際、搬送される角材１の左下側面が左下カッター用幅決めサイドロール１１に、角材１の右下側面が右下カッター用幅決めサイドロール２１に、それぞれ当接する。
当接すると、サイドロール部材１２を介して左下水平移動部材ＬＤＨ１が、サイドロール部材２２を介して右下水平移動部材ＲＤＨ１が、それぞれ水平方向に移動する。
【００３５】
そして、上述したように、図３（ｂ）に示すように、予め、左下面当接部材ＬＤＴ１の上端面を搬送される角材１の下面より上位に、右下面当接部材ＲＤＴ１の上端面を搬送される角材１の下面より上位に、それぞれ位置させているため、搬送される角材１の下面が、左下面当接部材ＬＤＴ１の上端面及び右下面当接部材ＲＤＴ１の上端面を乗り越えて、左下面当接部材ＬＤＴ１の上端面及び右下面当接部材ＲＤＴ１の上端面に当接して、左下垂直側弾性体Ｄ１による付勢力を左下面当接部材ＬＤＴ１の上端面を介して、右下垂直側弾性体Ｄ２による付勢力を右下面当接部材ＲＤＴ１の上端面を介して、角材１の下面にそれぞれ作用させる。
また、上述したように、図３（ｂ）に示すように、予め、左下側面当接部材ＬＤＳ１の右端面を搬送される角材１の左側面より内側（右）に、右下側面当接部材ＲＤＳ１の左端面を搬送される角材１の右側面より内側（左）に、それぞれ位置させているため、搬送される角材１の左側面が、左下側面当接部材ＬＤＳ１の右端面を乗り越えて、左下側面当接部材ＬＤＳ１の右端面が角材１の左側面に当接して、左下水平側弾性体ＬＤＤによる付勢力を左下側面当接部材ＬＤＳ１の右端面を介して、角材１の左側面に作用させ、また、搬送される角材１の右側面が、右下側面当接部材ＲＤＳ１の左端面を乗り越えて、右下側面当接部材ＲＤＳ１の左端面が角材１の右側面に当接して、右下水平側弾性体ＲＤＤによる付勢力を右下側面当接部材ＲＤＳ１の左端面を介して、角材１の右側面に作用させる。
そのため、角材１は、左下カッター支持体Ｓ１の左下面当接部材ＬＤＴ１、左下側面当接部材ＬＤＳ１と右下カッター支持体Ｓ２の右下面当接部材ＲＤＴ１、右下側面当接部材ＲＤＳ１により挟持され、左下カッターＬＤＣにより角材の左下コーナー部が、右下カッターＲＤＣにより角材の右下コーナー部が、それぞれ面取りされることなる。
なお、その際、角材１に角材１の長手方向に反り、捻れ等があつても、左下カッターＬＤＣを支持した左下カッター支持体Ｓ１、右下カッターＲＤＣを支持した右下カッター支持体Ｓ２は、水平方向、垂直方向及び回動方向（左下回動軸ＬＤＣ１により角材１の長手方向を横断する回動方向、右下回動軸ＲＤＣ１により角材１の長手方向を横断する回動方向）に移動して、面取りすることができる。
【００３６】
次に、角材１の左上コーナー部と右上コーナー部の面取りについて、以下、説明する。
角材１の左上コーナー部ＬＵと右上コーナー部ＲＵの面取りにおいては、図３（ｂ）に示すように、初期に（予め）、左上面当接部材ＬＵＴ１の下端面を搬送される角材１の上面より下位に、右上面当接部材ＲＵＴ１の下端面を搬送される角材１の上面より下位に，それぞれ位置させている。
これは、搬送される角材１の上面が、左上面当接部材ＬＵＴ１の下端面を押し上げて、左上垂直側弾性体Ｄ３（図１９）による付勢力を左上面当接部材ＬＵＴ１の下端面を介して、角材１の上面に作用させ、また、搬送される角材１の上面が、右上面当接部材ＲＵＴ１の下端面を押し上げて、右上垂直側弾性体Ｄ４（図１９）による付勢力を右上面当接部材ＲＵＴ１の下端面を介して、角材１の上面に作用させるためである。
また、初期に（予め）、左上側面当接部材ＬＵＳ１の右端面を搬送される角材１の左側面より内側（右）に、右上側面当接部材ＲＵＳ１の左端面を搬送される角材１の右側面より内側（左）に、それぞれ位置させている。
これは、搬送される角材１の左側面が、左上側面当接部材ＬＵＳ１の右端面を乗り越えて、左上水平側弾性体ＬＵＤ（図１８）による付勢力を左上側面当接部材ＬＵＳ１の右端面を介して、角材１の左側面に作用させ、また、搬送される角材１の右側面が、右上側面当接部材ＲＵＳ１の左端面を乗り越えて、右上水平側弾性体ＲＵＤ（図１８）による付勢力を右上側面当接部材ＲＵＳ１の左端面を介して、角材１の右側面に作用させるためである。
そのため、左上カッターＬＵＣ及び右上カッターＲＵＣは厚みロール（第３の上ロールＵＬ３）より下に、左上カッターＬＵＣは左サイドロール１１’より右に、右上カッターＲＵＣは右サイドロール２１’より左に、それぞれ初期に（予め）位置決めされている。
【００３７】
次に、角材１の上面に当接する厚みロール（第３の上ロールＵＬ３）の動きについて、説明する。
図１９〜図２３、図２５に示す１００は、搬送される角材１を跨るように設けられた支持体で、１０１は、支持体１００の上部に位置する上部支持部材で、１０２は、上部支持部材１０１、第１の垂下部材１０３を介して取り付けられた連動移動部材で、連動移動部材１０２は、角材１の上面位置と連動して昇降するものである。
１０３は、上部支持部材１０１に取り付けられた第１の垂下部材で、１０４は、上部支持部材１０１に取り付けられた第２の垂下部材で、１０５は、上部支持部材１０１に取り付けられた第３の垂下部材で、１０６は、第１の厚みロールリンクアームで、１０７は、第２の厚みロールリンクアームで、１０８は、作動アームである。
第１の厚みロールリンクアーム１０６は、一端を第２の垂下部材１０４に、他端を作動アーム１０８に、回動自在に取り付けられ、また、第２の厚みロールリンクアーム１０７は、一端を第２の垂下部材１０４に、他端を作動アーム１０８に、回動自在に取り付けられ、第１の厚みロールリンクアーム１０６と第２の厚みロールリンクアーム１０７とは、平行になっている。
図２５に示すＲＵＶ１’は、中間右上垂直移動部材で、中間右上垂直移動部材ＲＵＶ１’は、中途に、例えば、エアーシリンダー、バネ等の弾性体（右上垂直側弾性体Ｄ４）を備えている。
１０９は、ジョイントリンクＪと連動移動部材１０２を接続する第１の接続部材で、１１０は、連動移動部材１０２と中間右上垂直移動部材ＲＵＶ１’を接続する第２の接続部材である。
ＲＵＶ１は、右上垂直移動部材で、右上垂直移動部材ＲＵＶ１は、接続部材１１１を介して中間右上垂直移動部材ＲＵＶ１’に接続されている。
また、Ｄ６は、右上カッター支持体Ｓ４及び右上水平移動部材ＲＵＨ１の右自重受け弾性体で、Ｒ４”は、右上カッター支持体Ｓ４及び右上水平移動部材ＲＵＨ１の垂直方向のレールである。
また、Ｒは、昇降する右上カッターＲＵＣ及び右上水平移動部材ＲＵＨ１に水平方向の力を伝えるための右板で、右板Ｒは、ロールＲ１、Ｒ２、Ｒ３、Ｒ４により垂直方向に案内されるようになっている。ロールＲ１、Ｒ２、Ｒ３、Ｒ４は、右上カッター用幅決めサイドロール２１’の位置と連動する移動部材ＲＲに取り付けられている。
移動部材ＲＲは、右上水平側弾性体ＲＵＤと右上水平移動部材ＲＵＨ１に接続されている。
また、図１９に示す厚みロール（第３の上ロールＵＬ３）の左側にも、右側に設けられた第１の垂下部材１０３、第２の垂下部材１０４、第３の垂下部材１０５、第１の厚みロールリンクアーム１０６、第２の厚みロールリンクアーム１０７、作動アーム１０８、
第１の接続部材１０９、第２の接続部材１１０に対応する部材が、対称的に設けられている。図１９には、第１’の垂下部材１０３’、作動アーム１０８’が図示されている。
また、ＬＵＶ１’は、中間左上垂直移動部材で、中間左上垂直移動部材ＬＵＶ１’は、中途に、例えば、エアーシリンダー、バネ等の弾性体（左上垂直側弾性体Ｄ３）を備えている。
ＬＵＶ１は、左上垂直移動部材で、左上垂直移動部材ＬＵＶ１は、接続部材（図示しないが、接続部材１１１と同様のものである。）を介して中間左上垂直移動部材ＬＵＶ１’に接続されている。
また、Ｄ５は、左上カッター支持体Ｓ３及び左上水平移動部材ＬＨ１の左自重受け弾性体で、Ｒ３”は、左上カッター支持体Ｓ３及び左上水平移動部材ＬＵＨ１の垂直方向のレールである。
また、Ｌは、昇降する左上カッターＬＵＣ及び左上水平移動部材ＬＵＨ１に水平方向の力を伝えるための左板で、左板Ｌは、ロールＬ１、Ｌ２、Ｌ３、Ｌ４により垂直方向に案内されるようになっている。ロールＬ１、Ｌ２、Ｌ３、Ｌ４は、左上カッター用幅決めサイドロール１１’の位置と連動する移動部材ＬＬに取り付けられている。
移動部材ＬＬは、左上水平側弾性体ＬＵＤと左上水平移動部材ＬＵＨ１に接続されている。
【００３８】
従って、角材１の上面によって押し上げられた厚みロール（第３の上ロールＵＬ３）の移動は、作動アーム１０８、ジョイントリンクＪと伝えられ、連動移動部材１０２を移動させ、その移動量は、等しくなる。
連動移動部材１０２は、第２の接続部材１１０、右上垂直側弾性体Ｄ４を有した中間右上垂直移動部材ＲＵＶ１’、接続部材１１１を介して、右上垂直移動部材ＲＵＶ１と連結としているため、右上カッター支持体Ｓ４，右上カッターＲＵＣも同様に移動し、初期設定された角材１の上面より下に位置決めされる。
また、同様に、角材１の上面によって押し上げられた厚みロール（第３の上ロールＵＬ３）の移動は、作動アーム１０８’、ジョイントリンクＪ’と伝えられ、連動移動部材１０２を移動させ、その移動量は、等しくなる。
連動移動部材１０２は、第２の接続部材（図示しないが、第２の接続部材１１０と同様のものである。）、Ｄ３を有した中間左上垂直移動部材ＬＵＶ１’、接続部材（図示しないが、第２の接続部材１１１と同様のものである。）を介して、左上垂直移動部材ＬＵＶ１と連結としているため、左上カッター支持体Ｓ３，左上カッターＬＵＣも同様に移動し、初期設定された角材１の上面より下に位置決めされる。
【００３９】
次に、角材１の左上コーナー部の面取りについて、以下、説明する。
左上カッターＬＵＣ［図２（ｂ）］は、角材１の左上コーナー部ＬＵ（図６）の長手方向の形状に応じて移動して角材１の左上コーナー部ＬＵ（図６）の長手方向に沿って面取りできるようになっている。
そのため、左上カッターＬＵＣは、図２（ｂ）に示すように、水平方向（左右方向）Ｈ３、垂直方向（上下方向）Ｖ３及び搬送される角材１の長手方向を横断する回動方向Ｒ３に移動できるように支持されている。
【００４０】
即ち、図５に示すように、Ｓ３は左上カッターＬＵＣを支持する左上カッター支持体で、左上カッター支持体Ｓ３は、左上回動軸ＬＵＣ１を有し、図１８乃至図２５に示すように、水平方向（図示せず）、垂直方向（図示せず）及び搬送される角材１の長手方向を横断する回動方向（図示せず）に移動できるようになっている。
【００４１】
また、左上カッター支持体Ｓ３は、図５に示すように、角材１の左上面１ｅ（図６参照）に当接する左上面当接部材ＬＵＴ１、角材１の左上側面１ｆ（図６参照）に当接する左上側面当接部材ＬＵＳ１を有する。
また、左上カッター支持体Ｓ３に支持された左上カッターＬＵＣは、左上面当接部材ＬＵＴ１と左上側面当接部材ＬＵＳ１のコーナー部に形成された隙間より突出するように設けられている（図５参照）。ＬＵＭは、左上カッターＬＵＣを駆動する左上モーターで、ＬＵＭＳは、左上モーターＬＵＭを支持する左上モーター支持部材で、ＬＵＳＳは、左上モーターＬＵＭ、左上カッターＬＵＣ等の自重を受ける弾性体である左上弾性体（例えば、エアーシリンダー、バネ等）で、左上弾性体ＬＵＳＳは、一端を左上モーター支持部材ＬＵＳＳ、他端を左上カッター支持体Ｓ３の左上回動部材ＬＵＫ１に接続されている。
また、図１８に示すように、ＬＵＨ１は、搬送される角材１に直交する水平方向に移動可能な左上水平移動部材で、左上水平移動部材ＬＵＨ１は、レールＲ３を介してスライド移動できるリニアガイド（図示せず）を有している。
ＬＵＤは、左上水平移動部材ＬＵＨ１に接続され、左上水平移動部材ＬＵＨ１を搬送される角材１に近づく方向に付勢させる左上水平側弾性体で、左上水平側弾性体ＬＵＤは、図１９に示す上述した移動部材ＬＬに接続されている。
また、図１８に示すＬＵＤ’は、左上カッター用幅決めサイドロール押さえ弾性体で、左上カッター用幅決めサイドロール押さえ弾性体ＬＵＤ’は、左上カッター用幅決めサイドロール１１’を対向する右上カッター用幅決めサイドロール２１’に近づく方向（閉じる方向）に付勢させるものである。
左上カッター用幅決めサイドロール押さえ弾性体ＬＵＤ’は、左上接続部材ＬＵＳを介して，左上ロール水平移動部材ＬＵＨ１’に接続されている。
この左上ロール水平移動部材ＬＵＨ１’は、レールＲ３’を介してスライド移動できるリニアガイド（図示せず）を有している。
なお、左上水平側弾性体ＬＵＤ及び左上カッター用幅決めサイドロール押さえ弾性体ＬＵＤ’は、例えば、エアーシリンダー、バネ等で構成することができる。
また、左上ロール水平移動部材ＬＵＨ１’は、図２４に示すように、左板Ｌに接続されている。
なお、図１８に示す１２’は、左上カッター用幅決めサイドロール１１’を支持するサイドロール部材で、サイドロール部材１２’は、左上ロール水平移動部材ＬＵＨ１’に接続されている。
また、左上カッター支持体Ｓ３と左上水平移動部材ＬＵＨ１は、左上回動軸ＬＵＣ１を介して接続されている。左上水平移動部材ＬＵＨ１と左上ロール水平移動部材ＬＵＨ１’は、左上水平側弾性体ＬＵＤ、移動部材ＬＬ、左板Ｌを介して接続されている。
【００４２】
次に、角材１の右上コーナー部の面取りについて、以下、説明する。
右上カッターＲＵＣを支持する右上カッター支持体Ｓ４は、図１８に示すように、上述した左上カッター支持体Ｓ３と対称的に設けられている。
即ち、右上カッターＲＵＣ［図２（ｂ）］は、角材１の右上コーナー部ＲＵ（図６）の長手方向の形状に応じて移動して角材１の右上コーナー部ＲＵ（図６）の長手方向に沿って面取りできるようになっている。
そのため、右上カッターＲＵＣは、図２（ｂ）に示すように、水平方向（左右方向）Ｈ４、垂直方向（上下方向）Ｖ４及び搬送される角材１の長手方向を横断する方向（回転）Ｒ４に移動できるように支持されている。
【００４３】
即ち、図６に示すように、Ｓ４は右上カッターＲＵＣを支持する右上カッター支持体で、右上カッター支持体Ｓ４は、右上回動軸ＲＵＣ１を有し、図１８乃至図２５に示すように、水平方向（図示せず）、垂直方向（図示せず）及び搬送される角材１の長手方向を横断する回動方向（図示せず）に移動できるようになっている。
【００４４】
また、右上カッター支持体Ｓ４は、図６に示すように、角材１の右上面１ｇに当接する右上面当接部材ＲＵＴ１、角材１の右上側面１ｈに当接する右上側面当接部材ＲＵＳ１を有する。
また、右上カッター支持体Ｓ４に支持された右上カッターＲＵＣは、右上面当接部材ＲＵＴ１と右上側面当接部材ＲＵＳ１のコーナー部に形成された隙間より突出するように設けられている。ＲＵＭは、右上カッターＲＵＣを駆動する右上モーターで、ＲＵＭＳは、右上モーターＲＵＭを支持する右上モーター支持部材で、ＲＵＳＳは、右上モーターＲＵＭ、右上カッターＲＵＣ等の自重を受ける弾性体である右上弾性体（例えば、エアーシリンダー、バネ等）で、右上弾性体ＲＵＳＳは、一端を右上モーター支持部材ＲＵＳＳ、他端を右上カッター支持体Ｓ４の右上回動部材ＲＵＫ１に接続されている。
また、図１８に示すように、ＲＵＨ１は、搬送される角材１に直交する水平方向に移動可能な右上水平移動部材で、右上水平移動部材ＲＵＨ１は、レールＲ４を介してスライド移動できるリニアガイド（図示せず）を有している。
ＲＵＤは、右上水平移動部材ＲＵＨ１に接続され、右上水平移動部材ＲＵＨ１を搬送される角材１に近づく方向に付勢させる右上水平側弾性体で、右上水平側弾性体ＲＵＤは、図１９に示す上述した移動部材ＲＲに接続されている。
また、図１８に示すＲＵＤ’は、右上カッター用幅決めサイドロール押さえ弾性体で、右上カッター用幅決めサイドロール押さえ弾性体ＲＵＤ’は、右上カッター用幅決めサイドロール２１’を対向する左上カッター用幅決めサイドロール１１’に近づく方向（閉じる方向）に付勢させるものである。
右上カッター用幅決めサイドロール押さえ弾性体ＲＵＤ’は、右上接続部材ＲＵＳを介して、右上ロール水平移動部材ＲＵＨ１’に接続されている。
この右上ロール水平移動部材ＲＵＨ１’は、レールＲ４’を介してスライド移動できるリニアガイド（図示せず）を有している。
なお、右上水平側弾性体ＲＵＤ及び右上カッター用幅決めサイドロール押さえ弾性体ＲＵＤ’は、例えば、エアーシリンダー、バネ等で構成することができる。
また、右上ロール水平移動部材ＲＵＨ１’は、図２４に示すように、右板Ｒに接続されている。
なお、図１８に示す２２’は、右上カッター用幅決めサイドロール２１’を支持するサイドロール部材で、サイドロール部材２２’は、右上ロール水平移動部材ＲＵＨ１’に接続されている。
また、右上カッター支持体Ｓ４と右上水平移動部材ＲＵＨ１は、右上回動軸ＲＵＣ１を介して接続されている。右上水平移動部材ＲＵＨ１と右上ロール水平移動部材ＲＵＨ１’は、右上水平側弾性体ＲＵＤ、移動部材ＲＲ、右板Ｒを介して接続されている。
【００４５】
従って、前述の工程で左下コーナー部と右下コーナー部を面取りした角材１が搬送されると、角材１の上面に上厚みロール（第３の上ロールＵＬ３）が当接し、この当接後、
搬送される角材１の左側面が左上カッター用幅決めサイドロール１１’に、角材１の右側面が左上カッター用幅決めサイドロール２１’に、それぞれ当接する（図２５参照）。
なお、角材１の上面に上厚みロール（第３の上ロールＵＬ３）が当接すると、連動して左上カッター支持体Ｓ３、右上カッター支持体Ｓ４も移動する。
そして、上述したように、図３（ｂ）に示すように、予め、左上面当接部材ＬＵＴ１の下端面を搬送される角材１の上面より下位に、右上面当接部材ＲＵＴ１の下端面を搬送される角材１の上面より下位に、それぞれ位置させているため、搬送される角材１の上面が、左上面当接部材ＬＵＴ１の下端面及び右上面当接部材ＲＵＴ１の下端面を押し上げて、左上面当接部材ＬＵＴ１の下端面及び右上面当接部材ＲＵＴ１の下端面に当接して、左上垂直側弾性体Ｄ３による付勢力を左上面当接部材ＬＵＴ１の下端面を介して、右上垂直側弾性体Ｄ４による付勢力を右上面当接部材ＲＵＴ１の下端面を介して、角材１の上面にそれぞれ作用させる。
一方、搬送される角材１の左側面が左上カッター用幅決めサイドロール１１’に、角材１の右側面が左上カッター用幅決めサイドロール２１’に、それぞれ当接すると、サイドロール部材１２’を介して左上水平移動部材ＬＵＨ１が、サイドロール部材２２’を介して右上水平移動部材ＲＵＨ１が、それぞれ移動する。
そして、上述したように、図３（ｂ）に示すように、予め、左上側面当接部材ＬＵＳ１の右端面を搬送される角材１の左側面より内側（右）に、右上側面当接部材ＲＵＳ１の左端面を搬送される角材１の右側面より内側（左）に、それぞれ位置させているため、搬送される角材１の左側面が、左上側面当接部材ＬＵＳ１の右端面を乗り越えて、左上側面当接部材ＬＵＳ１の右端面が角材１の左側面に当接して、左上水平側弾性体ＬＵＤによる付勢力を左上側面当接部材ＬＵＳ１の右端面を介して、角材１の左側面に作用させ、また、搬送される角材１の右側面が、右上側面当接部材ＲＵＳ１の左端面を乗り越えて、右上側面当接部材ＲＵＳ１の左端面が角材１の右側面に当接して、右上水平側弾性体ＲＵＤによる付勢力を右上側面当接部材ＲＵＳ１の左端面を介して、角材１の右側面に作用させる。
そのため、角材１は、左上カッター支持体Ｓ３の左上面当接部材ＬＵＴ１、左上側面当接部材ＬＵＳ１と右上カッター支持体Ｓ４の右上面当接部材ＲＵＴ１、右上側面当接部材ＲＵＳ１により挟持され、左上カッター支持体Ｓ３は、角材１の左上コーナー部の長手方向の形状の反り、捻れ等に応じて、水平方向、垂直方向及び搬送される角材１の長手方向を横断する回動方向に移動して、左上カッターＬＵＣにより角材１の左上コーナー部の長手方向に沿って面取りし、また、右上カッター支持体Ｓ４は、角材１の右上コーナー部の長手方向の形状の反り、捻れ等に応じて、水平方向、垂直方向及び搬送される角材１の長手方向を横断する回動方向に移動して、右上カッターＲＵＣにより角材１の右上コーナー部の長手方向に沿って面取りを行うことができる。
【００４６】
なお、本実施例では、角材１を投入する側から見て（正面視）、左下カッターＬＤＣが左上カッターＬＵＣより前方に、右下カッターＲＤＣが右上カッターＲＵＣより前方に、それぞれ位置し、角材１を投入する側を正面とすれば、側面視、左下カッターＬＤＣが右下カッターＲＤＣに、左上カッターＬＵＣが右上カッターＲＵＣに、それぞれ対向する位置としたが、本願発明にあっては、これに限らず、
逆に、角材１を投入する側から見て（正面視）、左下カッターＬＤＣが左上カッターＬＵＣより後方に、右下カッターＲＤＣが右上カッターＲＵＣより後方に、それぞれ位置し、角材１を投入する側を正面とすれば、側面視、左下カッターＬＤＣが右下カッターＲＤＣに、左上カッターＬＵＣが右上カッターＲＵＣに、それぞれ対向する位置としても良い。
【００４７】
また、本実施例においては、左下カッター支持体Ｓ１、右下カッター支持体Ｓ２、左上カッター支持体Ｓ３及び右上カッター支持体Ｓ４は、それぞれ、水平方向、垂直方向及び搬送される角材１の長手方向を横断する回動方向に移動できるように支持するようにしたが、左下カッター支持体Ｓ１、右下カッター支持体Ｓ２の内、何れか一方の支持体を水平方向、垂直方向及び搬送される角材１の長手方向を横断する回動方向に移動できないようにしても良い。
左下カッター支持体Ｓ１が移動できない場合は、具体的には、左下カッター支持体Ｓ１は、水平方向、垂直方向及び搬送される角材１の長手方向を横断する回動方向に移動でないように支持される。
また、右下カッター支持体Ｓ２が移動できない場合は、具体的には、右下カッター支持体Ｓ２は、水平方向、垂直方向及び搬送される角材１の長手方向を横断する回動方向に移動でないように支持される。
【符号の説明】
【００４８】
Ｍ      角材の面取り装置
１      角材
ＬＤ    左下コーナー部
ＲＤ    右下コーナー部
ＬＵ    左上コーナー部
ＲＵ    右上コーナー部
ＬＤＣ  左下カッター
ＲＤＣ  右下カッター       
ＬＵＣ  左上カッター
ＲＵＣ  右上カッター
【図１】
2019089286.tif 000003
【図２】
2019089286.tif 000004
【図３】
2019089286.tif 000005
【図４】
2019089286.tif 000006
【図５】
2019089286.tif 000007
【図６】
2019089286.tif 000008
【図７】
2019089286.tif 000009
【図８】
2019089286.tif 000010
【図９】
2019089286.tif 000011
【図１０】
2019089286.tif 000012
【図１１】
2019089286.tif 000013
【図１２】
2019089286.tif 000014
【図１３】
2019089286.tif 000015
【図１４】
2019089286.tif 000016
【図１５】
2019089286.tif 000017
【図１６】
2019089286.tif 000018
【図１７】
2019089286.tif 000019
【図１８】
2019089286.tif 000020
【図１９】
2019089286.tif 000021
【図２０】
2019089286.tif 000022
【図２１】
2019089286.tif 000023
【図２２】
2019089286.tif 000024
【図２３】
2019089286.tif 000025
【図２４】
2019089286.tif 000026
【図２５】
2019089286.tif 000027